(57)【要約】      （修正有）【課題】液剤を患者用容器に分注すると共に、患者用容器に付与されている識別符号で管理することで、薬剤のコンタミを防止し、人的ミスを無くし調剤過誤の防止や作業の簡便化を図ることができる液剤分注装置を提供する。【解決手段】液剤を収容した液剤容器を複数個配列収容可能な液剤容器トレー１７を載置する液剤容器トレー載置部１８と、患者用容器を複数個配列収容可能な患者用容器トレー１３を載置する患者用容器トレー載置部１４と、液剤容器の何の液剤を吸入し、患者用容器に、液剤を分注する分注ノズル２１を備えた分注機構部２２と、を有し、患者用容器に液剤を分注する際に、患者用容器に付けられている識別符号を識別符号読取り手段で読取り記録手段に記録させ、液剤を分注された患者用容器が取出し位置に移動させ、患者用容器を取出して読取り手段で識別符号を読ませることにより、ラベルを出力するように制御する制御手段を備える構成とする。【選択図】図１
2008132232.tif 000002
【特許請求の範囲】
【請求項１】
所望の液剤を収容してなる液剤容器を複数個配列収容可能な液剤容器トレーを載置する液剤容器トレー載置部と、
患者用容器を複数個配列収容可能な患者用容器トレーを載置する患者用容器トレー載置部と、
前記液剤容器トレーに配列されている液剤容器の何れかを選択して液剤容器に収納されている液剤を吸入し、前記患者用容器トレーに配列されている患者用容器の何れかを選択して、前記吸入した液剤を吐出して分注する分注ノズルを備えた分注機構部と、
を有し、
前記患者用容器に液剤を吐出して分注する際に、前記患者用容器に付けられている識別符号を識別符号読取り手段で読取ると共に前記読取った識別符号のデータを記録手段に記録させ、液剤を吐出して分注された患者用容器が取出し位置に移動させ、該患者用容器を取出して読取り手段で識別符号を読ませることにより、ラベルを出力するように制御する制御手段を備えたことを特徴とする液剤分注装置。
【請求項２】
前記液剤容器トレーは、液剤容器を収納する収容位置に識別符号が付与されており、当該液剤容器にも識別符号が予め付与されており、これら両者の識別符号を読取り手段で読むことにより、前記液剤容器の収容位置を特定するように制御する液剤容器制御手段を備えたことを特徴とする請求項１に記載の液剤分注装置。
【請求項３】
前記液剤容器には、希釈用の水が収容されている容器を含むことを特徴とする請求項１に記載の液剤分注装置。
【発明の詳細な説明】
【技術分野】
【０００１】
本発明は液剤分注装置に関し、詳しくは、液剤を患者用容器に自動分注し、必要に応じて精製水による希釈等を自動で行い、更に自動攪拌を再現性良く正確に行うことにより、人的ミスを無くし調剤過誤の防止や作業の簡便化を図る液剤分注装置に関する。
【背景技術】
【０００２】
従来技術における液剤を患者用容器に分注するには、メモリがふってある患者に渡す容器に所定の液剤を注入したり、メモリのついたスポイドを用いて所定量を容器に注入するという基本的には手作業で行っていた。
【特許文献１】特開２００５−２１１５４０号公報（第３頁  図２）
【発明の開示】
【発明が解決しようとする課題】
【０００３】
しかしながら、従来技術で説明したように、患者用容器に液剤を注入するのを手作業で行うと、その注入作業が結構面倒で且つ量の間違いといった人的ミスが発生するという問題がある。
従って、所望の液剤を患者用容器に注入するのに、自動的に注入できるようにし、且つ正確に量が測定できるような液剤分注装置に解決しなければならない課題を有する。
【課題を解決するための手段】
【０００４】
上記課題を解決するために、本願発明の液剤分注装置は、次に示す構成にすることである。
【０００５】
（１）液剤分注装置は、所望の液剤を収容してなる液剤容器を複数個配列収容可能な液剤容器トレーを載置する液剤容器トレー載置部と、患者用容器を複数個配列収容可能な患者用容器トレーを載置する患者用容器トレー載置部と、前記液剤容器トレーに配列されている液剤容器の何れかを選択して液剤容器に収納されている液剤を吸入し、前記患者用容器トレーに配列されている患者用容器の何れかを選択して、前記吸入した液剤を吐出して分注する分注ノズルを備えた分注機構部と、を有し、前記患者用容器に液剤を吐出して分注する際に、前記患者用容器に付けられている識別符号を識別符号読取り手段で読取ると共に前記読取った識別符号のデータを記録手段に記録させ、液剤を吐出して分注された患者用容器が取出し位置に移動させ、該患者用容器を取出して読取り手段で識別符号を読ませることにより、ラベルを出力するように制御する制御手段を備えたことである。
（２）前記液剤容器トレーは、液剤容器を収納する収容位置に識別符号が付与されており、当該液剤容器にも識別符号が予め付与されており、これら両者の識別符号を読取り手段で読むことにより、前記液剤容器の収容位置を特定するように制御する液剤容器制御手段を備えたことを特徴とする（１）に記載の液剤分注装置。
（３）前記液剤容器には、希釈用の水が収容されている容器を含むことを特徴とする（１）に記載の液剤分注装置。
【発明の効果】
【０００６】
本発明のように、液剤を分注ノズルを用いて患者用容器に自動的に分注すると共に、その患者用容器に付与されている識別符号で管理することで、薬剤のコンタミを防止し、人的ミスを無くし調剤過誤の防止や作業の簡便化を図ることができる。
【発明を実施するための最良の形態】
【０００７】
本願発明に係る液剤分注装置の実施形態について、以下、図面を参照して説明する。
【実施例１】
【０００８】
本発明に係る液剤分注装置は、図１乃至図３に示すように、患者のレセプトを管理するレセプト用ＰＣ（以下、レセコンと云う）１１と本装置管理用ＰＣ１２がＬＡＮケーブルでリンクし、レセコン１１に記載されている患者用の液剤を、各種液剤が入った容器から患者用容器に自動分注し、必要に応じて精製水による希釈等を自動で行い、更に自動攪拌を再現性良く正確に行うことにより、人的ミスを無くし調剤過誤の防止や作業の簡便化を図るというものである。
【０００９】
その液剤分注装置の具体的な構成を示すと、複数の患者用容器１５を複数個配列収容可能な患者用容器トレー１３を載置する患者用容器トレー載置部１４と、所望の液剤を収容してなる液剤容器１６を複数個配列収容可能な液剤容器トレー１７を載置する液剤容器トレー載置部１８と、液剤容器トレー１７に配列されている液剤容器１６の何れかを選択して液剤容器１６に収納されている液剤を吸入し、患者用容器トレー１３に配列されている患者用容器１５の何れかを選択して、吸入した液剤を吐出して分注する分注ノズル２１を備えた分注機構部２２と、分注ノズル２１を洗浄するための洗浄ステーション２３と、側壁面に設けたバーコードリーダー２４と、やはり側壁面に設けたラベル出力部２５と、を備えた構成になっている。
【００１０】
患者用容器トレー１３は、図４に示す大、中、小の患者用容器１５のそれぞれを一列に整列状態に並べて収納し、各それぞれの容器の底部にはバーコード２６が刻印されたラベルが貼られている。この患者用容器トレー１３はトレー毎交換可能になっており、患者用容器トレー載置部１４から外すことにより交換可能になっている。このとき図示しないが、患者用容器トレー１３に備えてある接続部位が載置部１４に備えてある接続部に着脱自在な構成になっている。
又、この患者用容器トレー１３は、特に図５に示すように、複数の患者用容器１５を一列に載せ、後部から常時押すプレッシャー部２７を備え、前部において、容器を取出すための容器取出部２８に移動しないようにゲート２９を設けた構造となっており、このゲート２９の開閉は分注機構部２２での分注動作に連動して行われる。
更に、この容器取出部２８に移動していないときには、ゲート２９で所定位置に停止しており、その停止している位置には、その底部に設けたバーコードリーダー３１により容器の底部に貼り付けてあるラベルに記載されているバーコード（識別符号）２６を読み出す作業が行われる。
【００１１】
液剤容器トレー１７は、複数の各種液剤の入った液剤容器１６を複数個整列させて収納している。この液剤容器トレー１７はトレー毎取り外すことが可能で、液剤を交換するときに取り外し、そのときに図示しない載置部の接続部と接続部位が着脱自在に接続する構成になっている。
そして、この液剤容器１６を収納する位置には予めバーコード３２が付与されており、その位置は装置管理ＰＣ１２で管理されている。
【００１２】
又、各種液剤の液剤容器１６には製薬メーカーで貼られたバーコード３３がある。これを読み取らせて、この液剤容器１６をセットしようとする液剤容器トレー１７の収納位置（マス）にあるバーコード３２との双方が装置管理ＰＣ１２のソフトで照合させ、作業者がセット間違えた場合には警告を出すことで、薬剤の移し替えによる過誤を防止する。
このように各種液剤の入った容器１６を収納する位置は、予めセットされる収納位置が設定されており、その予め定まった位置に収納されている液剤容器１６に分注ノズル２１が移動して分注することになる。
又、各種液剤の入った液剤容器１６を収納することの他に、特定の位置の容器は希釈用の水を収納してある希釈用容器１６Ａが用意され、更に、液剤ではなく、例えばシロップ等が収納されている容器も用意されている。
更に、実施例においては分注ノズルを殺菌するための殺菌水を収納した殺菌用容器１６Ｂが配置されている。
【００１３】
分注機構部２２は、分注ノズル２１を容器の上部位置で待機できるように制御すると共に、分注ノズル２１をＸ/Ｙ軸機構によりＸ/Ｙ軸方向に移動させて容器の上部位置に移動させ、所定の容器の上部位置に到達すると、分注ノズル２１を下降させて吸入或は吐出分注するように制御し、この動作が完了すると分注ノズル２１を上昇させ、Ｘ/Ｙ軸方向に移動させて所定の位置に移動させるように制御する。
【００１４】
洗浄ステーション２３は、精製水を収納した容器が用意され、分注ノズル２１で分注動作をする都度精製水による洗浄を行うことにより、衛生的に管理される。これにより、精度の高い分注により薬剤のコンタミネーション（本来混入するべきでない薬剤が混入すること）を防止できる。
【００１５】
このような構成からなる液剤分注装置の動作について、図６乃至図７に示すフローチャートを参照して以下説明する。
【００１６】
先ず、複数の液剤容器１６が収容されている液剤容器トレー１７を液剤容器トレー載置部１８に載置する（ステップＳＴ１１）。このとき、装置管理ＰＣ１２には、各液剤のメーカーと液剤の商品名や薬品名をデータとして登録してあり、各収納位置に割り当てた種類名も登録できる。
【００１７】
次に、液剤容器１６が収容されている位置に取り付けられているバーコード（識別符号）３２を読取ると共に、その位置に収容されている液剤容器１６に取り付けられているバーコード（識別符号）３３も読取る（ステップＳＴ１２）。
【００１８】
装置管理ＰＣ１２は両者のバーコード３２、３３のデータを比較し、予め定まっている位置に所定の液剤容器１６が収容されているかを確認する（ステップＳＴ１３）。
【００１９】
ステップＳＴ１３にて、不一致の場合には、予め定まった位置に所定の液剤容器が収容されていないことを警告することで、液剤容器１６の収容位置の間違いを指摘する（ステップＳＴ１４、ＳＴ１５）。
【００２０】
次に、ステップＳＴ１４で、両者の比較が一致した場合には、全ての液剤容器１６について、その収容されている位置のバーコードとの比較を行う（ステップＳＴ１６）。
【００２１】
複数の患者用容器１５が収容されている患者用容器トレー１３を患者用容器トレー載置部１８に載置する（ステップＳＴ１７）。患者用容器トレー１３には、大中小に分けられた患者用容器１５が整列されておかれ、それぞれの容器１５の底部にはバーコード２６が貼り付けられている。
【００２２】
これで患者用容器１５のセット及び液剤容器１６のセットが完了し、次に、分注ノズル２１を利用して分注作業が行われる。分注開始時に、液剤容器１６の１つにある消毒液を吸入し、分注機構の接液部を消毒する（ステップＳＴ１８）。
【００２３】
分注機構の分注ノズル２１を含めた接液部の消毒が完了したら次に、所定の液剤容器１６に分注ノズル２１を移動させ所定量の液剤を吸入する（ステップＳＴ１９）。
【００２４】
吸入が終了した分注ノズル２１は、吐出分注するため、患者用容器トレー１３に収容されている患者用容器１５を選択し、その選択された患者用容器１５のバーコード２６を読取る（ステップＳＴ２０）。
【００２５】
バーコード２６を読取った患者用容器１５の上部位置に分注ノズル２１が移動し、下降して患者用容器１５に吐出分注をする（ステップＳＴ２１）。
【００２６】
吐出分注した分注ノズル２１は、ホームポジションに戻り、洗浄ステーション２３の位置に移動して分注ノズル２１を洗浄する（ステップＳＴ２２）。この洗浄は分注動作が行われる毎、毎回行われる。これによって分注ノズル２１を清潔に保つことができる。
【００２７】
次に、希釈が必要であるか否かを確認する（ステップＳＴ２３）
ステップＳＴ２３で希釈が必要な場合は、液剤容器１６のうち予め定まっている希釈用の希釈用容器１６Ａに分注ノズル２１が移動し、希釈用の液体（例えば、水）を吸入する。その後、希釈すべき患者用容器１５に希釈用の液体を吐出分注する（ステップＳＴ２４）。
【００２８】
吐出分注された患者用容器１５は、ゲート２９が開くことにより押し出され、次いでゲート２９が閉まることで次の患者用容器１５はバーコード２６が読まれる位置で待機状態となる（ステップＳＴ２５）。
【００２９】
容器取出部２８に押し出された患者用容器１５を取出し、この患者用容器１５の底部に貼り付けられているバーコード２６を読取ることでラベル出力部２５からラベルがプリントされ出力される（ステップＳＴ２６）。
このように、患者に提供する時点で、患者名やその他の必要事項をプリントアウトしたラベルを患者用容器１５に貼り付けるが、患者用容器１５の内容物と表記ラベルの貼り付け間違いが無いよう装置管理ＰＣ１２側で管理させ、ラベルの貼り間違えによる過誤を防止し、作業の一連の情報を記録する。
【００３０】
プリントされたラベルを患者用容器１５に貼り付けることで患者に手渡す患者用容器１５が完成する（ステップＳＴ２７）。
【００３１】
尚、ＰＣには、各液剤のメーカーと液剤の商品名や薬品名をデータとして登録してあり、各収納位置に割り当てた種類名も登録できる。又、液剤の使用量をその都度計算し、事前にオペレーターにカラの予告通知をするなどの在庫管理機能を有する。同時に液剤の有効期限も入力できるので薬剤管理機能も有する。
尚、バーコードは将来ＩＣタグに置き換わる可能性がある。
【産業上の利用可能性】
【００３２】
液剤を分注ノズルを用いて患者用容器に自動的に分注すると共に、その患者用容器に付与されている識別符号（バーコード）で管理することで、薬剤のコンタミを防止し、人的ミスを無くし調剤過誤の防止や作業の簡便化を図ることができる液剤分注装置を提供する。
【図面の簡単な説明】
【００３３】
【図１】本発明の液剤分注装置の構成を示した説明図である。
【図２】同、液剤分注装置を略示的に示した説明図である。
【図３】同、患者用容器トレーを示した説明図である。
【図４】同、患者用容器を示した説明図である。
【図５】同、患者用容器トレーの患者用容器の動きを示した説明図である。
【図６】本発明の液剤分注装置の動作を示すフローチャートである。
【図７】本発明の液剤分注装置の動作を示すフローチャートである。
【符号の説明】
【００３４】
１１      レセプト用ＰＣ
１２      装置管理ＰＣ
１３      患者用容器トレー
１４      患者用容器トレー載置部
１５      患者用容器
１６      液剤容器
１６Ａ    希釈用容器
１６Ｂ    殺菌用容器
１７      液剤容器トレー
１８      液剤容器トレー載置部
２１      分注ノズル
２２      分注機構部
２３      洗浄ステーション
２４      バーコードリーダー
２５      ラベル出力部
２６      バーコード
２７      プレッシャー部
２８      容器取出部
２９      ゲート
３１      バーコードリーダー
３２      バーコード
３３      バーコード。
【図１】
2008132232.tif 000003
【図２】
2008132232.tif 000004
【図３】
2008132232.tif 000005
【図４】
2008132232.tif 000006
【図５】
2008132232.tif 000007
【図６】
2008132232.tif 000008
【図７】
2008132232.tif 000009